(57)【特許請求の範囲】
【請求項１】
化粧料を装填した中皿を着脱可能に載置する区画凹所を備えたケース本体と、このケース本体に枢軸を介して開閉可能に保持され、該ケース本体の外周端縁に合わさってその内側を密封する蓋体とを備えた化粧料容器であって、
前記ケース本体の前記区画凹所に、インサート成形により該ケース本体と一体的に成形され前記中皿を前記区画凹所内で弾性支持する衝撃吸収層を設け、
前記衝撃吸収層が、前記中皿の底部と前記区画凹所の底壁との相互間に位置して縦方向の衝撃を吸収する複数の凸部と、これらの凸部をそれぞれ両側に挟む位置にて前記中皿の外周壁部に当接して横方向の衝撃を吸収する複数の凸部と、前記中皿の外周壁の突端にかぶさって縦方向の衝撃を吸収するとともに該中皿の区画凹所からの抜け出しを防止する複数の舌状片とを有し、
前記衝撃吸収層が軟質部材からなり、
前記ケース本体の底壁に、インサート成形に際して前記衝撃吸収層を形成するための樹脂を流し込む開口が形成されてなることを特徴とする化粧料容器。
【請求項２】
前記凸部のうち、前記中皿の底部と前記区画凹所の底壁との相互間に位置する凸部は、横向きのリブからなり、前記中皿の外周壁部に当接する凸部が、縦向きのリブからなる、請求項１記載の化粧料容器。
【請求項３】
前記中皿の底部と前記区画凹所の底壁との相互間に位置する凸部は、前記中皿の少なくとも四隅に設けられたものである、請求項１または２記載の化粧料容器。
【発明の詳細な説明】
【技術分野】
【０００１】
本発明は、ファンデーションやアイシャドー等の化粧料を入れるのに適した化粧料容器に関するものであり、該化粧料容器の構造の複雑化、使いづらさを伴うことなしに落下時等によって加えられる不用意な衝撃を効果的に吸収、緩和して化粧料の割れや粉砕を確実に回避しようとするものである。
【背景技術】
【０００２】
コンパクトに代表される化粧料容器は、容器本体と蓋体とが枢軸を介して開閉可能に連結されており、蓋体に設けたフックを容器本体側のフックに連係させることによって容器本体を確実に密閉し、容器本体の側壁から露出するプッシュピースを押し込むことによりフックの相互における連係を解除して蓋体の開放を可能とした構造からなるものであり、化粧料を使い切った後においては中皿ごとそっくりと取り替えることによって、容器を再利用し資源の有効活用を図るようにしている。
【０００３】
ところで、この種の化粧料容器は、中皿に装填された化粧料が固形物からなっているものにあっては、該化粧料容器を誤って落下させてしまった場合に衝撃力により化粧料が割れたり粉砕してしまうことがあり、かかる不具合を解消するために、容器の非使用時において皿枠をフローティング支持して外方からの衝撃から化粧料を保護するようにしたものが提案されている（例えば、特許文献１参照）ところ、従来の化粧料容器では構造の複雑化が避けられないため容器の効率的な製造が行えないばかりか、使い勝手もよいとはいえないものになっていて、未だ多少の改善の余地が残されていた。
【先行技術文献】
【特許文献】
【０００４】
【特許文献１】実開平６―７２５０８号公報
【発明の概要】
【発明が解決しようとする課題】
【０００５】
本発明の課題は、構造の複雑化を伴うことなし衝撃力を効果的に吸収、緩和できる化粧料容器を提案するところにある。
【課題を解決するための手段】
【０００６】
本発明は、化粧料を装填した中皿を着脱可能に載置する区画凹所を備えたケース本体と、このケース本体に枢軸を介して開閉可能に保持され、該ケース本体の外周端縁に合わさってその内側を密封する蓋体とを備えた化粧料容器であって、
前記ケース本体の前記区画凹所に、インサート成形により該ケース本体と一体的に成形され前記中皿を前記区画凹所内で弾性支持する衝撃吸収層を設け、
前記衝撃吸収層が、前記中皿の底部と前記区画凹所の底壁との相互間に位置して縦方向の衝撃を吸収する複数の凸部と、これらの凸部をそれぞれ両側に挟む位置にて前記中皿の外周壁部に当接して横方向の衝撃を吸収する複数の凸部と、前記中皿の外周壁の突端にかぶさって縦方向の衝撃を吸収するとともに該中皿の区画凹所からの抜け出しを防止する複数の舌状片とを有し、
前記衝撃吸収層が軟質部材からなり、
前記ケース本体の底壁に、インサート成形に際して前記衝撃吸収層を形成するための樹脂を流し込む開口が形成されてなることを特徴とする化粧料容器である。
【０００７】
上記の凸部のうち、中皿の底部と前記区画凹所の底壁との相互間に位置する凸部を、横向きのリブで構成し、中皿の外周壁部に当接する凸部を、縦向きのリブで構成するのが好ましい。
【０００８】
また、中皿の底部と前記区画凹所の底壁との相互間に位置する凸部は、中皿が四角形である場合には少なくとも四隅に設けるのが望ましく、円形である場合には少なくとも三箇所に設けるのが望ましい。
【発明の効果】
【０００９】
ケース本体の成形後に金型内で該ケース本体の底壁を通してその内側面に向けてエラストマーの如き弾性を有する樹脂を流し込む、いわゆるインサート成形により衝撃吸収層を形成したので、該衝撃吸収層を形成する部材をケース本体に組み付ける作業が不要であり構造も複雑になることがない。
【００１０】
中皿は、衝撃吸収層の凸部及び舌状片によって取り囲まれた状態にあるため、衝撃力が付加されても該吸収層によって該衝撃力が効果的に吸収、緩和されることとなり、化粧料が割れたり粉砕するのが避けられる。また、衝撃吸収層の肉厚が厚くなる部分に凸部を少なくとも一つ設けて中皿を保持することによりクッション性が増し衝撃力がより吸収し易くなる。
【図面の簡単な説明】
【００１１】
【図１】本発明にしたがう化粧料容器の実施の形態を側面（断面表示）で示した図である。
【図２】図１に示した化粧料容器の平面（上面）を、蓋体を省略した状態で示した図である。
【図３】図２のＡ−Ａ断面を示した図である。
【図４】衝撃吸収層を背面側からみた外観斜視図である。
【発明を実施するための最良の形態】
【００１２】
以下、図面を参照して本発明をより具体的に説明する。
図１〜４は、本発明にしたがう合成樹脂製の化粧料容器の実施の形態を示した図であり、図１は、化粧料容器の側面を断面で示した図であり、図２は、図１に示した化粧料容器の平面（上面）を蓋体を取除いた状態で示した図であり、図３は、図２のＡ−Ａ断面を示した図であり、さらに図４は、衝撃吸収層の外観斜視図である。
【００１３】
図１〜４における番号１は、化粧料容器の基本骨格を形成するケース本体である。このケース本体１は、化粧料を装填した中皿を着脱可能に載置する区画凹所Ｍ（角部にアール（Ｒ）を付与した平面形状で表示してある。）を有しており、底壁１ａと、この底壁１ａの縁部において立ち上がる周壁１ｂからなっていて、ケース本体１の前面側Ｆには、周壁１ｂの上端部においてスライド可能に保持されたプッシュピース１ｃと、係止片（フック）１ｄが設けられている。
【００１４】
２は、ケース本体１の後面側Ｇにおいて枢軸ｈを介して開閉可能に保持され、ケース本体１の外周端縁に合わさって該ケース本体１を密封保持する蓋体である。この蓋体２の前面側Ｆ1の下端内側には、ケース本体１の係止片１ｄに連係する爪部（フック）２ａが設けられており、蓋体２を閉じたときに爪部２ａがケース本体１の係止片１ｄに連係して該蓋体２を閉姿勢に保持する一方、プッシュピース１ｃをケース本体１の後面側に向けて押し込むことで爪部２ａを押し上げて係止片１ｄとの連係を解除して蓋体２の開放を可能とする。
【００１５】
３は、ケース本体１の区画凹所Ｍに配置された中皿である。中皿３は、区画凹所Ｍと同等の平面形状を有する底部３ａと、この底部３ａの縁部に一体的につながる外周壁３ｂから構成されており、その内側には化粧料を装填する上部開放型の凹所が形成されている。
【００１６】
４は、ケース本体１の区画凹所Ｍの外表面に設けられた衝撃吸収層である。この衝撃吸収層４はケース本体１の成形時に、金型内でケース本体１の内側面に樹脂を流し込む、インサート成形により形成されるものであり、底壁４ａとこの底壁４ａの縁部から立ち上がる周壁４ｂから構成されている。この衝撃吸収層４は、ケース本体１とは一体化された弾性を有するエラストマーの如き軟質部材からなり（ゴム等でもよい。）、アールが形成された四箇所の部位には、中皿３の底部３ａと区画凹所Ｍの底壁１ａとの相互間に位置して縦方向の衝撃を吸収する凸部４ｃと、この凸部４ｃをそれぞれ両側に挟む位置において中皿３の外周壁部３ｂに当接して横方向の衝撃を吸収する凸部４ｄと、中皿３の外周壁の突端にかぶさって縦方向の衝撃を吸収するとともに該中皿３の区画凹所Ｍからの抜け出しを防止する舌状片４ｅが形成されている。舌状片４ｅは、中皿３の組み付け、取り外しを容易にするため、少なくとも対角の二箇所に設けることができ、この舌状片４ｅとこの端面が接続する周壁４ｄとにより逆Ｌ字状断面を形成している。舌状片４ｅの先端縁部には、中皿３のアールよりも曲率半径が大きいアールが付与されている。
【００１７】
５はケース本体１の底部１ａの中央部に設けられた開口である。この開口５はインサート成形に際して衝撃吸収層４を形成するための樹脂を流し込む孔を形成するものである。さらに６は、ケース本体１の底部１ａの後端寄りで該ケース本体１の底部１ａ、衝撃吸収層４の底部４ａを貫くように設けられた開口（６ａ、６ｂ）である。この開口６は、ケース本体１から中皿３を取り出す際に該中皿３に押圧力を加える冶具を通過させるのに使用されるものであり、形状は円形や矩形状のものが適用される。７は、蓋体２の裏面に設けられた鏡、８は、中皿３と鏡８との間に配置した例で示した塗布部材としてのパフ（仮想線で表示してある。）である。中皿３の上面には、化粧料とパフ８が直接接触するのを避けるために中蓋を設けることができる（図示せず。）。
【００１８】
本発明にしたがう化粧料容器においては、中皿３が衝撃吸収層４の凸部４ａ、凸部４ｂのみで支えられ、その他の部位は空間部分になっているため、化粧料容器を落下させる等により衝撃力が加えられても該衝撃力が効果的に吸収、緩和されることとなり化粧料に割れや粉砕は回避される。
【００１９】
衝撃吸収層４はインサート成形によりケース本体１と一体化されているため、部品点数が増えることもないし組み込み作業を必要としないため、構造の簡素化、効率的な製造が可能となる。とくに衝撃吸収層の肉厚が厚くなる部分に凸部を少なくとも一つ設けて中皿３を保持することによってクッション性を増すことが可能となるので衝撃力の吸収、緩和により有効になる。凸部の形状については区画凹所Ｍのサイズや形状に応じて適宜設定すればよい。
【００２０】
衝撃吸収層４の凸部４ｃ、４ｄについては、横向きのリブ、縦向きのリブとして図示したが、該凸部４ｃ、４ｄはドット状のものでもよい。また、設置箇所は、アール（湾曲）が形成された角部に設けた場合について示したが、中皿３をより有効に支持できるのであればアールが形成された角部以外の箇所に設けてもよく、この点については限定されない。
【００２１】
中皿３を収納する区画凹所Ｍが円形状からなる化粧料容器を対象とする場合においては、衝撃吸収層４の凸部４ｃ、４ｄは１２０°間隔で設ければよく、これにより中皿３の支持姿勢が安定化する。
【００２２】
本発明にしたがう化粧料容器は、蓋体２の開閉をおこなっても中皿３が動くことがなく、中皿から化粧料をスムーズに取り出すことが可能であり、使い勝手がよい。
【００２３】
中皿３は、通常、金属で構成してもよいし、合成樹脂で構成しても勿論よい。
【産業上の利用可能性】
【００２４】
簡単な構造のもとで衝撃力を効果的に吸収、緩和し得る化粧料容器が提供できる。
【符号の説明】
【００２５】
１      ケース本体
１ａ    底壁
１ｂ    周壁
１ｃ    プッシュピース
１ｄ    係止片（フック）
２      蓋体
２ａ    爪部（フック）
３      中皿
３ａ    底部
３ｂ    外周壁部
４      衝撃吸収層
４ａ    底壁
４ｂ    周壁
４ｃ    凸部
４ｄ    凸部
４ｅ    舌状片
５      開口
６      開口
７      鏡
８      パフ
Ｍ      区画凹所
ｈ      枢軸
Ｐ      前面側
Ｇ      後面側
ｈ      枢軸
【図１】
0005611704.tif 000002
【図２】
0005611704.tif 000003
【図３】
0005611704.tif 000004
【図４】
0005611704.tif 000005